(57)【要約】【課題】球受皿の球貯留部と樋部との２つの球抜口の開閉を１つの操作部によって行い得るようにすることで操作性を改善し球抜が常にスムースに行われるようにする。【解決手段】球受皿３の球貯留部に第１球抜口５が開設され、遊技球を整列状態で打球発射装置に送るために設けた球受皿の樋部６に第２球抜口７が開設されたパチンコ遊技機において、１つの操作部１５によって可動する作動部材１０に前記第１球抜口を開閉し得る第１弁部１１と第２球抜口を開閉し得る第２弁部１２を設け、該操作部の操作によって第１球抜口だけが開かれる第１の球抜状態と第１球抜口および第２球抜口が同時に開かれる第２の球抜状態となり得るようにした。【選択図】  図３
2004305511.tif 000002
【特許請求の範囲】
【請求項１】
球受皿の球貯留部に第１球抜口が開設され、遊技球を整列状態で打球発射装置に送るために設けた球受皿の樋部に第２球抜口が開設されたパチンコ遊技機において、１つの操作部によって可動する作動部材に前記第１球抜口を開閉し得る第１弁部と第２球抜口を開閉し得る第２弁部を設け、該操作部の操作によって第１球抜口だけが開かれる第１の球抜状態と第１球抜口および第２球抜口が同時に開かれる第２の球抜状態となり得るようにしたことを特徴とするパチンコ遊技機における球受皿の球抜装置。
【請求項２】
操作部は作動部材の移動位置を変更することにより、第１球抜口のみが開かれた第１の球抜状態と、第１球抜口および第２球抜口が同時に開かれた第２の球抜状態となるようにするものである請求項１に記載のパチンコ遊技機における球受皿の球抜装置。
【請求項３】
第１球抜口が開設された球受皿と第２球抜口が開設された球受皿とは一体のものである請求項１または２に記載のパチンコ遊技機における球受皿の球抜装置。
【請求項４】
第１球抜口が開設された球受皿と第２球抜口が開設された球受皿とは別体のものである請求項１または２に記載のパチンコ遊技機における球受皿の球抜装置。
【発明の詳細な説明】
【０００１】
【発明の属する技術分野】
本発明はパチンコ遊技機前面の球受皿にその遊技球を抜き取るために設けられる球抜き装置に関するものである。
【０００２】
【従来の技術】
【特許文献１】
実開平４−９２２８３号公報
【特許文献２】
特開２００１−１７０３１９号公報
【０００３】
パチンコ遊技機には、周知のように、景品として払出される遊技球を受けるとともにその遊技球を樋部を通すことによって整列状態として１個ずつ打球発射装置に送り出すための球受皿（上皿という）と、該球受皿から溢れた遊技球を貯留するための球受皿（下皿という）とがパチンコ遊技機の前面に夫々別体として上下段に設けたもの、および、上下段の区別なく一体のものとして１つの球受皿を設けたものが従来から知られている。
【０００４】
そして、上記のように上皿と下皿とが別体として設けられたパチンコ遊技機では、上皿の樋部の下端部に球抜口が開設され、遊技者がゲームを終えようとして球抜き用の摘みを操作すると該球抜口が開きその樋部に残っている遊技球が排出されるように構成され、また、下皿には上記特許文献に記載されたように、上記摘みとは別途の球抜き用摘みが設けられ、この球抜き用摘みを操作することにより下皿に溜まった遊技球を一気に球箱等に移し替えられるようにしている。
また、上皿と下皿の区別なく球受皿が一体のものとして設けられたパチンコ遊技機では、その樋部にある遊技球を抜くための球抜き用摘みと、該球受皿に溜まった多数の遊技球を一気に抜くための球抜き用摘みとが夫々別物として設けられている。
【０００５】
【発明が解決しようとする課題】
ところで、上記のように上皿と下皿とが別体として設けられたパチンコ遊技機では、遊技者が途中でゲームを終えようとし、上皿の遊技球を抜くために該上皿に設けられた摘みを操作することにより、該上皿の遊技球は樋部に１列に並んでから球抜口を通り下皿に排出されるものであったので、一気に排出できず時間がかかる欠点があった。
また、上皿と下皿の区別なく球受皿が一体のものとして設けられたパチンコ遊技機では、遊技者がゲームを終えようとすると、上記２つの球抜き用摘みを夫々操作しなければならなかったので操作が煩わしいという欠点があった。
【０００６】
そこで本発明は、２つの球抜口の開閉操作を１つの操作部によって行い得るようにすることで、その操作性を改善し、球抜がスムースに行われるようにするものである。
【０００７】
【課題を解決するための手段】
そのために本発明のパチンコ遊技機における球受皿の球抜装置は、球受皿の球貯留部に第１球抜口が開設され、遊技球を整列状態で打球発射装置に送るために設けた球受皿の樋部に第２球抜口が開設されたパチンコ遊技機において、１つの操作部によって可動する作動部材に前記第１球抜口を開閉し得る第１弁部と第２球抜口を開閉し得る第２弁部を設け、該操作部の操作によって第１球抜口だけが開かれる第１の球抜状態と第１球抜口および第２球抜口が同時に開かれる第２の球抜状態となり得るようにしたことを特徴とする。
また本発明は上記球抜装置において、操作部は作動部材の移動位置を変更することにより、第１球抜口のみが開かれた第１の球抜状態と、第１球抜口および第２球抜口が同時に開かれた第２の球抜状態となるようにするものであることを特徴とする。
また本発明は上記球抜装置において、第１球抜口が開設された球受皿と第２球抜口が開設された球受皿とは一体のものであることを特徴とする。
また本発明は上記球抜装置において、第１球抜口が開設された球受皿と第２球抜口が開設された球受皿とは別体のものであることを特徴とする。
【０００８】
【発明の実施の形態】
次に請求項１〜３に記載の発明の実施の形態を図面に基づき説明する。図１はこのパチンコ遊技機の正面図、図２は平面図で、１は遊技盤、２は打球発射用のハンドル、３は該遊技盤の下側で前方に張り出すように形成された球受皿である。なお、この実施形態のパチンコ遊技機では上皿と下皿の区別なく１つの球受皿３が設けられ、該球受皿に景品球払出口４から景品としての遊技球が払い出される。
【０００９】
５は該球受皿３の球貯留部に開設された第１球抜口で、該第１球抜口は該球貯留部に溜まった多数の遊技球を一気に排出し得るように口径を大きく形成したものである。また、６は遊技球を打球発射装置（図示省略する）に１個ずつ送り出すために該球受皿３の奥部に傾斜状に形成された樋部で、該樋部の下端部に第２球抜口７が開設されている。
【００１０】
図３，図４に該球受皿３の奥部を縦断面することにより示された球抜装置を示す。同図に示すように、前記第１球抜口５は球受皿３の下面に抜ける流下路８に連通している。また、前記第２球抜口７の直下に該流下路８に合流させるべく傾斜状の流下路９が形成される。
【００１１】
１０は第１球抜口５を開閉し得る第１弁部１１と第２球抜口７を開閉し得る第２弁部１２が設けられ傾斜状の前記樋部６の下側に平行に進退動自在に設けられた直線棒状の作動部材で、図３に示した状態では第１弁部１１によって第１球抜口５は閉塞され、第２弁部１２によって第２球抜口７が閉塞されている。そして第１弁部１１に隣接するように向かって左側に通口１３が形成され、第２弁部１２に隣接するように向かって右側に通口１４が形成されている。
【００１２】
また、１５は作動部材１０を進退動し第１球抜口５および第２球抜口７を開閉するために設けられた操作部である。該操作部は球受皿３の一側上部に上段部１５ａと下段部１５ｂとが段違いに形成された鉤状の案内孔が形成され、該案内孔中に摘み１６が摺動自在に設けられている。１７は該摘み１６と前記作動部材１０の左端部とを連結している板状の連結片で、該連結片の上端部に形成された長孔１８に摘み１６の内端部が遊嵌され、該連結片の下端部に形成された長孔１９に前記作動部材１０の端部に突設されたピン２０が遊嵌されている。そして該連結片１７は両側からコイルバネ２１ａ，２１ｂによって挟まれた状態にて設けられ、この両コイルバネの弾性により常態では図３に示したように中立位置に保持され、これによって第１弁部１１が第１球抜口５を閉塞し、第２弁部１２が第２球抜口７を閉塞している。
【００１３】
このように構成した球抜装置では、例えば大当たりが発生し球受皿３に遊技球がいっぱい溜まった場合、図５に示したように、前記流下路８の下に球箱２２を置き、前記摘み１６を少し持ち上げて上段部１５ａに位置させそのまま右にスライドさせれば、連結片１７を介して作動部材１０が右に移動し第１球抜口５が開かれることから、該球受皿３の遊技球を流下路８を通して一気に該球箱に移し替えることができ、その際、第２球抜口７は閉じたままであるので打球発射装置への遊技球の供給が中断されることはなく発射は継続される。そして、摘み１６から手を離せばコイルバネ２１ａの弾性によって作動部材１０は元の中立位置に戻り該第１球抜口５は閉じる。
【００１４】
また、遊技者がこのパチンコ遊技機でのゲームを終えるために全部の遊技球を抜きたい場合は、摘み１６を少し下げて下段部１５ｂに位置させ左にスライドさせることにより、図６に示したように、作動部材１０が左に移動し第１球抜口５および第２球抜口７が開かれることから球受皿３の樋部６にある遊技球も流下路９を通して流下路８に排出される。このため、一操作で第１球抜口５および第２球抜口７を同時に開くことができ、多数の遊技球を一気に排出できるとともに、樋部６にある遊技球まで残り無く排出させることができる。そして摘み１６から手を離すことでコイルバネ２１ｂの弾性によって作動部材１０は元の中立位置に戻り第１球抜口５および第２球抜口７は閉じられる。
【００１５】
なお、この実施形態では摘み１６を中立状態とすることで第１球抜口５および第２球抜口７が閉じられるようにしたが、摘みを一方向にのみスライドできるようにし、その途中状態で第１球抜口５のみが開き、さらにスライドさせることで第１球抜口５および第２球抜口７が開くように構成することもできる。また、この摘みを回転式の構成としたり、レバー式の構成とすることも可能である。さらには電磁ソレノイド等の電動アクチュエータによって第１球抜口５および第２球抜口７を選択的に開閉し得るように構成することも可能である。
【００１６】
また、図７は下皿３０と上皿３１とを別体として設けたパチンコ遊技機に本発明を適用した実施形態を示し、該下皿３０の球貯留部に第１球抜口５を開設し該第１球抜口を開閉し得る第１弁部１１を第１作動部材３２の一端に設け、該第１作動部材の他端を操作部３３に延設し摘み３４を形成するとともに、上皿３１の樋部の下端部に第２球抜口７を開設し該第２球抜口を開閉し得る第２弁部１２を第２作動部材３５の一端に設け、該第２作動部材の他端を第１作動部材３２の中間部に形成された係合片３６と遊び３７を隔てて対峙させる。このため、摘み３４をもって第１作動部材３２を矢印で示した方向にスライドさせることにより第１球抜口５が開放され下皿３０中の遊技球を球箱３８に一気に排出させることができ、該第１作動部材３２を矢印で示した方向にさらにスライドさせることで係合片３６と第２作動部材３５が係合し該第２作動部材を矢印で示した方向にスライドさせ第２球抜口７が開放されることから上皿３１の樋部にある遊技球も下皿３０に流下し排出されるようにしている。このように本発明は下皿と上皿とが別体として設けられたパチンコ遊技機に適用しても２つの球抜口の開閉を１つの操作部によって行い得るようになることで操作性が改善され球抜がスムースに行われるようになる。
【００１７】
【発明の効果】
以上説明したように本発明の球抜装置は、球受皿の球貯留部に第１球抜口が開設され、遊技球を整列状態で打球発射装置に送るために設けた球受皿の樋部に第２球抜口が開設されたパチンコ遊技機において、１つの操作部によって可動する作動部材に前記第１球抜口を開閉し得る第１弁部と第２球抜口を開閉し得る第２弁部を設け、該操作部の操作によって第１球抜口だけが開かれる第１の球抜状態と第１球抜口および第２球抜口が同時に開かれる第２の球抜状態となり得るようにしたので、操作性が改善され球抜がスムースに行われるようにする有益な効果がある。
【図面の簡単な説明】
【図１】本発明の実施形態を示したパチンコ遊技機の正面図。
【図２】図１のパチンコ遊技機の平面図。
【図３】図２のＡ−Ａ線断面図。
【図４】図３のＢ−Ｂ線断面図。
【図５】図３の作動状態図。
【図６】図３の作動状態図。
【図７】本発明の他の実施形態を示したパチンコ遊技機の正面図。
【符号の説明】
１      遊技盤
３      球受皿
４      景品球払出口
５      第１球抜口
６      樋部
７      第２球抜口
８，９  流下路
１０    作動部材
１１    第１弁部
１２    第２弁部
１５    操作部
１６    摘み
１７    連結片
【図１】
2004305511.tif 000003
【図２】
2004305511.tif 000004
【図３】
2004305511.tif 000005
【図４】
2004305511.tif 000006
【図５】
2004305511.tif 000007
【図６】
2004305511.tif 000008
【図７】
2004305511.tif 000009